(57)【要約】    【課題】  イカ釣針を引き上げる際の水の抵抗等の力を受けても、イカ釣針が振れたり重くなったり、針の屈曲変形、各針が左右に移動して相互に接近する不具合を防止できる、イカ釣り針の傘針固定構造を提供すること。    【解決手段】  イカ釣り針の傘針の折曲げ部の一部を被覆してこれを固定するための傘針固定構造は、該傘針３を構成する各針をそれぞれ個別に嵌合させるための溝を備えた波形ワッシャー１と、該波形ワッシャー１を該傘針３に対して押圧するための補強用ワッシャー２とからなることを、基本的な構成とする。該波形ワッシャー１の径は、該傘針３の径よりも小さくする。【選択図】  図１−１
0003117800.tif 000002
【実用新案登録請求の範囲】
【請求項１】
イカ釣り針の傘針の折曲げ部の一部を被覆してこれを固定するためのイカ釣り針の傘針固定構造であって、該構造は、該傘針を構成する各針をそれぞれ個別に嵌合させるための凹凸襞を備えた波形ワッシャーと、該波形ワッシャーを該傘針に対して押圧するための補強用ワッシャーとからなることを特徴とする、イカ釣り針の傘針固定構造。
【請求項２】
前記波形ワッシャーは、これによる被覆が、略Ｕ字状をなす前記傘針の折曲げ部のうち、先端側の直線部より手前側すなわち底辺部に対してなされるように形成されていることを特徴とする、請求項１に記載のイカ釣り針の傘針固定構造。
【請求項３】
前記波形ワッシャーは、その径が、前記底辺部の直線部の径の１／５以上４／５以下に形成されていることを特徴とする、請求項１または２に記載のイカ釣り針の傘針固定構造。
【請求項４】
前記補強用ワッシャーは前記波形ワッシャーと同一径かもしくはこれよりも小径に形成されていることを特徴とする、請求項１ないし３のいずれかに記載のイカ釣り針の傘針固定構造。
【請求項５】
前記波形ワッシャーの凹凸襞の溝は、前記傘針の各針の線径以上の深さに形成されていることを特徴とする、請求項１ないし４のいずれかに記載のイカ釣り針の傘針固定構造。
【請求項６】
前記補強用ワッシャーは前記波形ワッシャーよりも厚手に形成されていることを特徴とする、請求項１ないし５のいずれかに記載のイカ釣り針の傘針固定構造。
【請求項７】
請求項１ないし６のいずれかに記載の傘針固定構造を用いてなることを特徴とする、イカ釣り針。
【考案の詳細な説明】
【技術分野】
【０００１】
本考案はイカ釣り針の傘針固定構造およびイカ釣り針に係り、特に、釣られたイカや海流等によって力が加わった場合であっても、針の屈曲変形、各針が左右に移動して相互に接近する不具合等を効果的に防止することのできる、イカ釣り針の傘針固定構造およびイカ釣り針に関する。
【背景技術】
【０００２】
本願出願人は、イカ釣り針において、傘針の折曲げ部を被覆する補強板の周囲に凹凸襞を圧搾形成し、その凹凸襞によって補強板自体を強固にするとともに、傘針の各針の折曲げ部を襞内に嵌合させる構造を、過去において考案した（特許文献１）。これにより、針の折曲げ部が補強されて、針にイカが引っ掛けられて緊張しても、針が屈曲変形したり、各針が左右に移動して相互に接近したりするような不具合を、ある程度は解消することができる。
【０００３】
【特許文献１】昭和３８年実用新案登録願第７６３０８号「烏賊釣針」
【考案の開示】
【考案が解決しようとする課題】
【０００４】
しかしながら、特許文献１の考案にはなお、次のような問題があった。
（ａ）該考案の波形ワッシャー（凹凸襞付きの補強板）は、幅広で深い椀形のワッシャーであるため、イカ釣針を引き上げる際に水の抵抗が増してイカ釣針が振れたり、重くなったり、針の屈曲変形や、各針が左右に移動して相互に接近する不具合の防止には、限界がある。
（ｂ）また、イカ釣針に対して横方向から当たる海流等の力により流される度合いが大きい。
（ｃ）特にそでイカ用釣針のように傘針が大形のものである場合には、これらの欠点は、より重大である。
【０００５】
本考案が解決しようとする課題は、かかる上記従来技術の問題点を解消し、イカ釣針を引き上げる際の水の抵抗の増加や、横方向から当たる海流等の力を受けても、イカ釣針が振れたり重くなったりする不具合、針の屈曲変形、各針が左右に移動して相互に接近する不具合を、より効果的に防止することのできる、イカ釣り針の傘針固定構造およびイカ釣り針を提供することである。
【課題を解決するための手段】
【０００６】
本願考案者は上記課題について検討した結果、従来技術においては傘針の折曲げ部を広く深く被覆していた波形ワッシャーの被覆度合いを改善し、さらに補強用のワッシャーを別途設けて併用することによりこれを解決できることを見出し、本考案に至った。すなわち、上記課題を解決するための手段として本願で実用新案登録請求される考案、もしくは少なくとも開示される考案は、以下の通りである。
【０００７】
（１）  イカ釣り針の傘針の折曲げ部の一部を被覆してこれを固定するためのイカ釣り針の傘針固定構造であって、該構造は、該傘針を構成する各針をそれぞれ個別に嵌合させるための凹凸襞を備えた波形ワッシャーと、該波形ワッシャーを該傘針に対して押圧するための補強用ワッシャーとからなることを特徴とする、イカ釣り針の傘針固定構造。
（２）  前記波形ワッシャーは、これによる被覆が、略Ｕ字状をなす前記傘針の折曲げ部のうち、先端側の直線部より手前側すなわち底辺部に対してなされるように形成されていることを特徴とする、（１）に記載のイカ釣り針の傘針固定構造。
（３）  前記波形ワッシャーは、その径が、前記底辺部の直線部の径の１／５以上４／５以下に形成されていることを特徴とする、（１）または（２）に記載のイカ釣り針の傘針固定構造。
（４）  前記補強用ワッシャーは前記波形ワッシャーと同一径かもしくはこれよりも小径に形成されていることを特徴とする、（１）ないし（３）のいずれかに記載のイカ釣り針の傘針固定構造。
【０００８】
（５）  前記波形ワッシャーの凹凸襞の溝は、前記傘針の各針の線径以上の深さに形成されていることを特徴とする、（１）ないし（４）のいずれかに記載のイカ釣り針の傘針固定構造。
（６）  前記補強用ワッシャーは前記波形ワッシャーよりも厚手に形成されていることを特徴とする、（１）ないし（５）のいずれかに記載のイカ釣り針の傘針固定構造。
（７）  （１）ないし（６）のいずれかに記載の傘針固定構造を用いてなることを特徴とする、イカ釣り針。
【考案の効果】
【０００９】
本考案のイカ釣り針の傘針固定構造およびイカ釣り針は上述のように構成されるため、これによれば、イカ釣針を引き上げる際の水の抵抗の増加や、横方向から当たる海流等の力を受けても、イカ釣針が振れたり重くなったりする不具合や、針の屈曲変形の不具合、さらにはまた、各針が左右に移動して相互に接近する不具合を、より効果的かつ実用的に防止することができる。
【００１０】
つまり本考案の構造は、傘針の底部全体を被覆し、それ自体に水の抵抗が大きく掛かるような幅広で深い椀形の従来技術とは異なり、より小径かつ浅い構造を用いるものであり、それ故に、イカ釣針を引き上げる際の水の抵抗は相当小さくなり、したがってイカ釣針が振れたり、重くなったりすることが、有効に防止される。それにより、針の屈曲変形や、各針が左右に移動して相互に接近するような不具合も防止される。
【００１１】
また、イカ釣針に対して横方向から当たる海流等の力も、従来技術より軽減されるため、海流等により流される不具合も相当軽減され、各針が左右に移動して相互に接近するような不具合が防止される。特にそでイカのような大型のイカ用の釣針においては、これら本考案の効果は絶大なものがある。
【考案を実施するための最良の形態】
【００１２】
以下、本考案を図面により詳細に説明する。
図１−１は、本考案のイカ釣り針の傘針固定構造の実施例について、組み立てられたイカ釣り針の傘針側から見た写真図である。同様に、
図１−２は、図１−１に示す実施例について、側方から見た写真図、
図１−３は、図１−１に示す実施例について、傘針側からの斜視の写真図、そして、
図１−４は、図１−１に示す実施例について、撚り戻し具側からの斜視の写真図である。また、
図２は、本実施例傘針固定構造を用いたイカ釣り針の全体を示す写真図である。
【００１３】
これらの図に示されるようにイカ釣り針の傘針の折曲げ部の一部を被覆してこれを固定するための本考案の構造は、該傘針３を構成する各針をそれぞれ個別に嵌合させるための凹凸襞、つまり溝を備えた波形ワッシャー１と、該波形ワッシャー１を該傘針３に対して押圧するための補強用ワッシャー２とからなることを、基本的な構成とする。
【００１４】
かかる構成により本発明傘針固定構造では、該傘針３を構成する各針は、該波形ワッシャー１の凹凸襞（溝）にそれぞれ個別に嵌合がなされ、さらに該補強用ワッシャー２が該波形ワッシャー１の外方から該傘針３に対して押圧され、これら２種のワッシャー１、２は挿通される軸杆５の先端に設けられた止め輪４をもって固定されるとともに、該傘針３の姿勢を固定した状態で押圧する。
【００１５】
各図に示されるように該波形ワッシャー１は、これによる被覆が、略Ｕ字状をなす前記傘針３の折曲げ部のうち、先端側の直線部より手前側、すなわち底辺部に対してなされるように形成されている。したがって、傘針補強構造の平面面積は比較的狭く、また椀形構造のように水の逃げ場のない構造ではないため、イカ釣り針を上方に引き上げる際の上方からの水の抵抗が少ない。したがって、イカ釣針が振れたり、重くなったりすることが、有効に防止され、さらに針の屈曲変形や、各針が左右に移動して相互に接近するような不具合防止に効果がある。
【００１６】
上述の水の抵抗を弱める効果を確実に得るために、前記波形ワッシャー１は、その径を特に、前記底辺部の直線部の径の１／５以上４／５以下に形成されたものとしてもよい。より望ましくは、底辺部の直線部の径の２／３程度にすると、一層実用性が向上する。たとえば、傘針底辺部の直線部の径が３３ｍｍである場合は、該波形ワッシャーの径は約２２ｍｍとすれば、得られる結果は良好である。
【００１７】
図３、４、５はいずれも、本考案の傘針固定構造における波形ワッシャーと補強用ワッシャーの別の構成例を示す平面視の説明図である。これらに示されるように、補強用ワッシャー２２等は波形ワッシャー１２等と比較して、小径であっても、また同一径もしくは略同一径であってもよい。また図５のように補強用ワッシャー２４の方が波形ワッシャー１４よりも大径であることも、本考案は排除しないが、上方からの水の抵抗を受けやすくなるため、図１−１等、あるいは図３、４のように、補強用ワッシャーは波形ワッシャーと同一径かもしくはこれよりも小径に形成されていることが望ましい。
【００１８】
図６−１、６−２は、図１−１等に示した実施例において、傘針固定構造を設ける前の状態の傘針を示す、それぞれ平面視、略側面視の写真図である。図１−１等との比較で明らかなように、本考案の傘針固定構造は上記従来技術よりもその全体サイズが小さく、水の抵抗等による影響が相当軽減される構造のものである。
【００１９】
図１−１等の実施例で示されるように、前記波形ワッシャー１の凹凸襞つまり溝は、前記傘針３の各針の線径以上の深さに形成されていることが望ましい。すなわち、該傘針３において放射状に広がる針先が嵌合するように、凹凸に成形された該波形ワッシャー１の溝によって、各針先相互の接近を確実に防止するためには、溝の深さを各針の線径以上の深さに設定することが望ましい。かかる構成により、各針がその弾力によって溝から外れてしまう恐れを解消することができる。
【００２０】
たとえば、線径２ｍｍの線材により針を形成する場合、溝の深さは２ｍｍ以上とするのがよい。なお、このようにして溝を望ましい深さに成形するためには、針先相互の間隙の広さの設定には限界があることを考慮し、前記波形ワッシャーの板材として板厚の薄い板材（たとえば溝深さ２ｍｍ以上の場合は０．５ｍｍの板厚のもの等）を使用すれば、良好な結果が得られる。
【００２１】
また、前記補強用ワッシャー２は前記波形ワッシャー１よりも厚手の材料を用いて形成されたものとすることができる。本考案の傘針固定構造は、２種のワッシャー１、２を併せ用いることによりなるが、もし薄い板材で成形加工した波形ワッシャーのみを使用した場合は、針先に掛かったイカの重量により、Ｕ字状に曲げられた針先底辺部が押し上げられ、各針先が開くように曲がって変形してしまい、接触している波形ワッシャーも変形して溝が浅い状態となってしまい、各針先相互が接近することとなってしまうことが避けられない。この問題は、イカがそでイカ等の大形であるほど、重大となる。
【００２２】
本考案では補強用ワッシャー２を用いることにより、これを有効に防止することができる。つまり、該補強用ワッシャー２を該波形ワッシャー１に重ねて取着し固定することによって、傘針３の各針の曲がりが防止され、その結果、荷重よる波形ワッシャー１の変形が防示される。
【００２３】
たとえば、波形ワッシャーとして上述の０．５ｍｍ厚の板材を用いる場合は、これよりも厚手の１ｍｍ程度の板厚の材料により、補強用ワッシャーを形成すれば、良好な結果が得られる。
【００２４】
図７−１、７−２は、図１−１等に示す実施例に用いる波形ワッシャーの各平面視、側面視の写真図である。また、
図８−１、８−２は、図１−１等に示す実施例に用いる補強用ワッシャーの各平面視、側面視の写真図である。
【産業上の利用可能性】
【００２５】
本考案の傘針固定構造を用いて、傘針の姿勢・位置が良好かつ確実に固定されたイカ釣り針を形成することができる。これにより、針の変形が防止されてイカ釣り針の耐久性が向上し、かつイカ釣りにおけるイカの脱落や釣り上げ過程における余計な労力の軽減がなされるため、大形のそでイカ等のイカ釣りを始めとして、イカ釣り漁業および関連分野において、利用価値の高い考案である。
【図面の簡単な説明】
【００２６】
【図１−１】本考案のイカ釣り針の傘針固定構造の実施例について、組み立てられたイカ釣り針の傘針側から見た写真図である。
【図１−２】図１−１に示す実施例について、側方から見た写真図である。
【図１−３】図１−１に示す実施例について、傘針側からの斜視の写真図である。
【図１−４】図１−１に示す実施例について、撚り戻し具側からの斜視の写真図である。
【図２】本実施例傘針固定構造を用いたイカ釣り針の全体を示す写真図である。
【図３】本考案の傘針固定構造における波形ワッシャーと補強用ワッシャーの別の構成例を示す平面視の説明図である。
【図４】本考案の傘針固定構造における波形ワッシャーと補強用ワッシャーの別の構成例を示す平面視の説明図である。
【図５】本考案の傘針固定構造における波形ワッシャーと補強用ワッシャーの別の構成例を示す平面視の説明図である。
【００２７】
【図６−１】図１−１等に示した実施例において、傘針固定構造を設ける前の状態の傘針を示す平面視の写真図である。
【図６−２】図１−１等に示した実施例において、傘針固定構造を設ける前の状態の傘針を示す略側面視の写真図である。
【図７−１】図１−１等に示す実施例に用いる波形ワッシャーの平面視の写真図である。
【図７−２】図１−１等に示す実施例に用いる波形ワッシャーの側面視の写真図である。
【図８−１】図１−１等に示す実施例に用いる補強用ワッシャーの平面視の写真図である。
【図８−２】図１−１等に示す実施例に用いる補強用ワッシャーの側面視の写真図である。
【符号の説明】
【００２８】
１、１２、１３、１４…波形ワッシャー
２、２２、２３、２４…補強用ワッシャー
３…傘針
４…止め輪
５…軸杆
６…外装筒体
【図３】
0003117800.tif 000003
【図４】
0003117800.tif 000004
【図５】
0003117800.tif 000005
【図１−１】
0003117800.tif 000006
【図１−２】
0003117800.tif 000007
【図１−３】
0003117800.tif 000008
【図１−４】
0003117800.tif 000009
【図２】
0003117800.tif 000010
【図６−１】
0003117800.tif 000011
【図６−２】
0003117800.tif 000012
【図７−１】
0003117800.tif 000013
【図７−２】
0003117800.tif 000014
【図８−１】
0003117800.tif 000015
【図８−２】
0003117800.tif 000016